(57)【要約】【課題】装着されたオプション機器を正確に識別して真偽を認証することができる電子部品実装用装置を提供することを目的とする。【解決手段】基板に電子部品を実装する電子部品搭載装置に着脱自在に装着して用いられるオプション機器としてのフィーダ５において、コントローラ１６に設けられたキーコード記憶部１６ａに当該フィーダ５が正規品であることを示すキーコードを記憶させておき、フィーダ５を装置本体に接続した状態でキーコード記憶部１６ａからキーコードをコード読み取り部１２ｂによって読み取り、読み取られたキーコードを正否判定部１２ｃによってコードデータ記憶部１２ａに記憶されたデータと参照して、当該フィーダ５が装置本体に接続されるべき正規品であるか否かを判定する。【選択図】図３
2006012957.tif 000002
【特許請求の範囲】
【請求項１】
基板に電子部品を実装する電子部品実装ラインにおいて用いられる電子部品実装用装置であって、装置本体と、装置本体に着脱自在に接続されるオプション機器と、前記オプション機器に内蔵され当該オプション機器が正規品であることを示すキーコードを記憶するキーコード記憶部と、前記オプション機器を装置本体に接続した状態で前記キーコード記憶部から前記キーコードを読みとるコード読み取り手段と、読み取られたキーコードに基づいて当該オプション機器が装置本体に接続されるべき正規のオプション機器であるか否かを判定する正否判定手段とを備えたことを特徴とする電子部品実装用装置。
【請求項２】
前記電子部品実装用装置は電子部品を基板に搭載する電子部品搭載装置であり、前記オプション機器は、部品供給部に複数基並設されたパーツフィーダであることを特徴とする請求項１記載の電子部品実装用装置。
【発明の詳細な説明】
【技術分野】
【０００１】
本発明は、電子部品を基板に実装する電子部品実装ラインにおいて用いられる電子部品実装用装置に関するものである。
【背景技術】
【０００２】
電子部品を基板に実装する電子部品実装ラインにおいて用いられる電子部品実装用装置には、多数のオプション機器が用いられる。たとえば電子部品を基板に実装する電子部品搭載装置には、電子部品を供給するテープフィーダなどのパーツフィーダが部品種類に応じて装着される。このような複数種類のオプション機器が交換自在に装着される装置には、どのような種類の機器が装着されたかを自動的に検出する機器種類検出機能を備えたものが知られている（たとえば特許文献１参照）。この特許文献に示す例では、パーツフィーダに付設された識別マークを撮像手段によって認識することにより、当該パーツフィーダの種類を検出するようにしている。
【特許文献１】特開２００１−１３５９８８号公報
【発明の開示】
【発明が解決しようとする課題】
【０００３】
ところで上述のオプション機器は、本来当該装置製造者製のものまたは正規にライセンス生産された真正機器が用いられるべきである。しかしながら、装置市場においては必ずしも真正機器のみが流通しているとは限らず、不法にコピー生産された模造機器が供給される場合がある。このような模造機器においては、上述の識別マークも含めて模倣されるため、上述の特許文献例に示す機器種類検出機能では実際に使用されている機器の真偽を正確に検出することができない。このように、従来の電子部品実装用装置には、オプション機器を正確に識別して真偽を認証することが困難であるという問題点があった。
【０００４】
そこで本発明は、装着されたオプション機器を正確に識別して真偽を認証することができる電子部品実装用装置を提供することを目的とする。
【課題を解決するための手段】
【０００５】
本発明の電子部品実装用装置は、基板に電子部品を実装する電子部品実装ラインにおいて用いられる電子部品実装用装置であって、装置本体と、装置本体に着脱自在に接続されるオプション機器と、前記オプション機器に内蔵され当該オプション機器が正規品であることを示すキーコードを記憶するキーコード記憶部と、前記オプション機器を装置本体に接続した状態で前記キーコード記憶部から前記キーコードを読みとるコード読み取り手段と、読み取られたキーコードに基づいて当該オプション機器が装置本体に接続されるべき正規のオプション機器であるか否かを判定する正否判定手段とを備えた。
【発明の効果】
【０００６】
本発明によれば、オプション機器に内蔵されたキーコード記憶部に当該オプション機器が正規品であることを示すキーコードを記憶させておき、オプション機器を装置本体に接続した状態でキーコード記憶部からキーコードを読み取り、読み取られたキーコードに基づいて当該オプション機器が装置本体に接続されるべき正規のオプション機器であるか否かを判定することにより、装着されたオプション機器を正確に識別して真偽を認証することができる。
【発明を実施するための最良の形態】
【０００７】
次に本発明の実施の形態を図面を参照して説明する。図１は本発明の一実施の形態の電
子部品搭載装置の平面図、図２は本発明の一実施の形態の電子部品搭載装置における部品供給部の構成説明図、図３は本発明の一実施の形態の電子部品搭載装置の制御系の構成を示すブロック図、図４は本発明の一実施の形態の電子部品搭載装置におけるテープフィーダ装着処環のフロー図である。
【０００８】
まず図１を参照して電子部品搭載装置の構造について説明する。電子部品搭載装置は、基板に電子部品を実装する電子部品実装ラインにおいて、前工程で半田印刷が行われた後の基板に電子部品を塔載する用途に用いられる電子部品実装用装置である。
【０００９】
図１において、基台１の中央部には、Ｘ方向に搬送路２が配設されている。搬送路２は、基板３を搬送し位置決めする基板位置決め部となっている。搬送路２の両側には、電子部品を供給する部品供給部４が配置されており、部品供給部４には、電子部品を供給するパーツフィーダが複数基並列されており、ここではパーツフィーダとしてテーピングされた電子部品を供給するテープフィーダ５（以下、単に「フィーダ５」と略記する。）が配置されている。
【００１０】
基台１上面の両端部上にはＹ軸テーブル６Ａ，６Ｂが配設されており、Ｙ軸テーブル６Ａ、６Ｂ上には２台のＸ軸テーブル７Ａ，７Ｂが架設されている。Ｙ軸テーブル６Ａを駆動することにより、Ｘ軸テーブル７ＡがＹ方向に水平移動し、Ｙ軸テーブル６Ｂを駆動することにより、Ｘ軸テーブル７ＢがＹ方向に水平移動する。Ｘ軸テーブル７Ａ，７Ｂには、それぞれ移載ヘッド８および移載ヘッド８と一体的に移動するカメラ９が装着されている。
【００１１】
Ｙ軸テーブル６Ａ，Ｘ軸テーブル７Ａ，Ｙ軸テーブル６Ｂ，Ｘ軸テーブル７Ｂは移載ヘッド８を移動させるヘッド移動機構を構成し、このヘッド移動機構を駆動することにより移載ヘッド８は水平移動する。そしてそれぞれの部品供給部４から電子部品を吸着ノズル（図示省略）によってピックアップし、搬送路２に位置決めされた基板３上に実装する。基板３上に移動したカメラ９は、基板３を撮像して認識する。また部品供給部４から搬送路２に至る経路には、部品認識カメラ１１が配設されている。部品認識カメラ１１は、それぞれの移載ヘッド８に保持された状態の電子部品を下方から撮像する。
【００１２】
次に図２を参照して、部品供給部４の構成を説明する。部品供給部４に配設されたフィーダベース４ａには複数のフィーダ５が並列して装着されている。フィーダ５は、フィーダベース４ａの下方に位置した台車１３にセットされた複数の供給リール１４から、電子部品を保持したキャリアテープ１５を引き出し、保持された電子部品を移載ヘッド８によるピックアップ位置まで供給する。
【００１３】
フィーダ５は細長形状のフレーム部材である本体部５ａの下面をフィーダベース４ａの上面に沿わせて装着され、本体部５ａの下面に設けられた係止部４ｂをフィーダベース４ａの端部に係止させることにより位置が固定される。そしてこの状態で、本体部５ａに内蔵されたコントローラ１６が、係止部５ｂに設けられたコネクタ１９を介して、電子部品実装装置の本体制御部１２と接続されるようになっている。フィーダ５は、装置本体である電子部品搭載装置の本体制御部１２に着脱白在に接続されるオプション機器であり、装着互換性を有する複数機種から部品種類などに応じて適宜選定して用いられる。
【００１４】
フィーダ５の前端部（図２において右側）には、テープ送り用のスプロケット１８およびスプロケット１８を回転駆動するモータ１７が配設されている。モータ１７の回転はコントローラ１６によって制御され、スプロケット１８が所定パターンで回転することにより、キャリアテープ１５はスプロケット１８の外周に設けられた送りピン１８ａ（図３参照）によってピッチ送りされる。
【００１５】
次に図３を参照して、制御系の構成について説明する。なお、ここではコントローラ１６および本体制御部１２の構成要素のうち、オプション機器としてのフィーダ５が正規品であるか否かを識別する機能に関連する要素についてのみ示している。図３において、コントローラ１６はキーコード記憶部１６ａを備えている。キーコード記憶部１６ａにはテープフィーダ５が、正規品であるか否かを識別するためのキーコードを記憶する。
【００１６】
ここで正規品とは、電子部品搭載装置を製造した当該装置製造者製のものまたは正規にライセンス生産された真正機器であり、キーコードとはそのオプション機器の機体に固有の製造シリアルナンバーなど、当該機器が正規品であることを認証することが可能なコードである。キーコードの形式として、機種・製造シリアルナンバーを適宜暗号化して用いてもよい。
【００１７】
本体制御部１２には、コードデータ記憶部１２ａ、コード読み取り部１２ｂ、正否判定部１２ｃが設けられている、コードデータ記憶部１２ａには、上述のキーコードのデータ、すなわち当該電子部品搭載装置に接続することが許される正規品に付与されたキーコードが複数記憶されている。
【００１８】
コード読み取り部１２ｂは、フィーダ５を部品供給部４に装着することによって本体制御部１２と接続されたコントローラ１６のキーコード記憶部１６ａから、当該フィーダ５のキーコードを読み取る。すなわち、コード読み取り部１２ｂは、オプション機器であるフィーダ５を装置本体に接続した状態で、コード記憶部１６ａからキーコードを読みとるコード読み取り手段となっている。
【００１９】
正否判定部１２ｃは、コード読み取り部１２ｂによって読み取られたキーコードを、コードデータ記憶部１２ａに記憶されたキーコードのデータと参照することにより、当該フィーダ５が正規品であるか否かを判定する。すなわち、正否判定部１２ｃは、読み取られたキーコードに基づいてフィーダ５が装置本体に接続されるべき正規のオプション機器であるか否かを判定する正否判定手段となっている。そして、正否判定部１２ｃによる判定結果は、装置本体に設けられた表示部１９に表示される。
【００２０】
次に図４を参照して、電子部品搭載装置にフィーダ５を装着する際の処理を説明する。まず新たなフィーダ５をマウンタ（電子部品搭載装置）に接続する（ＳＴ１）。これにより、当該フィーダ５のコントローラ１６が本体制御部１２と接続され、コード読み取り部１２ｂによってキーコード記憶部１６ａからキーコードが読み取られ確認される（ＳＴ２）。そして正否判定部１２ｃが、確認されたキーコードをコードデータ記憶部１２ａに記憶されたデータと参照することにより、当該フィーダが正規品であるか否かを判別する（ＳＴ３）。
【００２１】
ここで正規品であると判定されたならば、表示部１９に正否判定結果がフィーダ搭載ＯＫとして表示され（ＳＴ４）、この後実装動作が正常に実行される（ＳＴ５）。これに対し（ＳＴ３）にてフィーダが正規品でないと判定されたならば、表示部１９に正否判定結果がフィーダ搭載ＮＧとして表示され（ＳＴ４）、実装動作を開始することなく装置停止する。
【００２２】
このように、本実施の形態においては、テープフィーダ５に内蔵されたキーコード記憶部１６ａに当該機器が正規品であることを示すキーコードを記憶させておき、テープフィーダ５を装置本体に接続した状態でキーコードを読み取って当該テープフィーダ５が装置本体に接続されるべき正規品であるか否かを判定するようにしている。これにより、ハード面での装着互換性が満足され外見では不法にコピー生産された模造機器であるか否かが
不明な場合にあっても、装着されたテープフィーダ５を正確に識別して真偽を認証することができる。
【００２３】
なお本実施の形態では、読み取られたキーコードを電子部品搭載装置の本体制御部１２に記憶されたコードデータと参照して正否を判定する例を示しているが、電子部品実装ラインの集中制御システムなどの上位システムを介して、機種・製造シリアルナンバーなどのキーコードをオンライン認証するようにしてもよい。さらに、機種・製造シリアルナンバーをキーとして、接続先の装置本体または上位システムに保持された真正機器シリアノレナンバーリストを参照することにより、リスト未記載の機器を排除するようにしてもよい。
【００２４】
また上記実施の形態では、電子部品実装用装置として電子部品を基板に搭載する電子部品搭載装置の例を示したが、これ以外にも電子部品実装ラインに用いられる装置であれば本発明の適用対象となる。
【産業上の利用可能性】
【００２５】
本発明の電子部品実装用装置は、装着されたオプション機器を正確に識別して真偽を認証することができるという効果を有し、電子部品実装ラインにおいて用いられ各種のオプション機器が接続される電子部品実装用装置に対して有用である。
【図面の簡単な説明】
【００２６】
【図１】本発明の一実施の形態の電子部品搭載装置の平面図
【図２】本発明の一実施の形態の電子部品搭載装置における部品供給部の構成説明図
【図３】本発明の一実施の形態の電子部品搭載装置の制御系の構成を示すブロック図
【図４】本発明の一実施の形態の電子部品搭載装置におけるテープフィーダ装着処理のフロー図
【符号の説明】
【００２７】
４  部品供給部
５  テープフィーダ
１２  本体制御部
１６  コントローラ
【図１】
2006012957.tif 000003
【図２】
2006012957.tif 000004
【図３】
2006012957.tif 000005
【図４】
2006012957.tif 000006